(57)【特許請求の範囲】
【請求項１】
医用画像装置により撮像された患者の治療部位を含む画像が表示されるモニタと、
前記患者の治療部位に治療超音波を照射する治療超音波プローブと、
前記モニタに描出された前記治療部位を含む画像に設定される治療領域を辺縁から中心に向かって複数の分割領域に分ける治療領域分割部と、
前記分割領域ごとに照射する治療超音波パワーを治療領域の辺縁からの距離に応じて調整する治療超音波パワー設定部と、
前記分割領域ごとに前記治療超音波パワー設定部で調整された前記治療超音波パワーに基づいて前記治療超音波プローブから照射される前記治療超音波パワーを制御する治療超音波パワー制御部とを備えてなる超音波治療装置。
【請求項２】
前記治療超音波パワー設定部は、前記分割領域の超音波パワーを前記辺縁からの距離に応じて増大させて設定することを特徴とする請求項１に記載の超音波治療装置。
【請求項３】
さらに、前記治療超音波プローブに装着されて前記患者に対する前記治療超音波プローブの位置及び向きを検出する位置検出器と、
前記治療超音波パワー設定部により前記分割領域ごとに設定された前記治療超音波パワーの１回の照射で治療可能な領域に基づいて、前記分割領域ごとの１又は複数の照射位置を含む治療計画を策定する治療計画策定部と、
前記治療計画策定部により策定された前記治療計画の前記照射位置に前記治療超音波を照射する前記治療超音波プローブの位置、向き及び超音波集束位置を示す誘導画像情報を前記モニタに表示する治療超音波プローブ誘導部とを備え、
前記治療超音波パワー制御部は、前記照射位置ごとに前記治療超音波プローブから照射される前記治療超音波パワーを制御することを特徴とする請求項１又は２に記載の超音波治療装置。
【請求項４】
前記分割領域は、前記治療領域の辺縁の外側に隣接する領域に予め設定されたマージン領域を含んでなり、
前記治療超音波パワー設定部は、前記マージン領域に照射する前記治療超音波パワーを前記辺縁の分割領域に照射する前記治療超音波パワーよりも低く設定することを特徴とする請求項１乃至３のいずれか１項に記載の超音波治療装置。
【請求項５】
前記治療超音波プローブ誘導部は、前記位置検出器により検出される前記治療超音波プローブの位置、向き及び超音波集束位置を示す模擬画像を前記モニタの治療部位を含む画像に重ねて表示することを特徴とする請求項３に記載の超音波治療装置。
【請求項６】
前記治療超音波プローブ誘導部の前記誘導画像情報は、前記治療超音波プローブの位置、向き及び超音波集束位置を示す矢印と数値の少なくとも一方の画像情報であることを特徴とする請求項３に記載の超音波治療装置。
【請求項７】
前記分割領域及び前記マージン領域の境界が輪郭線によって表示されることを特徴とする請求項４に記載の超音波治療装置。
【請求項８】
前記分割領域及び前記マージン領域が異なる表示形態で識別可能に表示されることを特徴とする請求項４又は７に記載の超音波治療装置。
【請求項９】
前記治療領域分割部は、前記モニタに描出された直交３軸断面画像に設定された前記治療領域の輪郭線を前記治療領域の辺縁として、前記輪郭線の内側領域を予め設定された径の基準円で埋め、前記輪郭線に接する前記基準円で埋められる領域を辺縁部の分割領域とし、該辺縁部の分割領域よりも内側の領域を中心部の分割領域とすることを特徴とする請求項４に記載の超音波治療装置。
【請求項１０】
前記治療領域分割部は、前記治療領域の前記輪郭線の外側に接する前記基準円で埋められる領域を前記マージン領域として分割することを特徴とする請求項９に記載の超音波治療装置。
【請求項１１】
前記治療領域分割部は、前記モニタに描出された直交３軸断面画像の血管壁の内側の血管領域と、該血管壁の外側に接する予め設定された径の基準円により埋められる辺縁部領域とからなる前記分割領域に分割することを特徴とする請求項４に記載の超音波治療装置。
【請求項１２】
前記治療領域分割部は、前記辺縁部領域の外側に接する前記基準円により埋められる領域を前記マージン領域として分割することを特徴とする請求項１１に記載の超音波治療装置。
【請求項１３】
前記治療超音波パワー設定部は、前記基準円を１回の治療超音波の照射位置として前記各分割領域に応じた治療超音波パワーを調整する請求項９乃至１２のいずれか１項に記載の超音波治療装置。
【発明の詳細な説明】
【技術分野】
【０００１】
本発明は、超音波を治療対象の病変部に照射して温熱により変性させて治療する超音波治療装置に係り、特に、治療領域を複数に分割し、分割領域に応じて治療超音波パワーを可変する超音波治療装置に関する。
【背景技術】
【０００２】
腫瘍、血栓、脳梗塞等の病変部に超音波を照射して、それらの病変部を温熱により変性（例えば、焼灼又は破壊）させて治療する高密度焦点式超音波治療（ＨＩＦＵ：High  Intensity  Focused  Ultrasound）法が知られている。ＨＩＦＵ法は、治療超音波プローブから病変部に照射する集束超音波パワーを高密度にして、侵襲性の低い治療を行うことが可能である。例えば、前立腺癌などの治療は、直腸内に治療超音波プローブを配置して侵襲性の低い治療を行うことが可能である。また、脳腫瘍など治療は、頭部の外皮に治療超音波プローブを配置して侵襲性の低い治療を行うことが可能である。
【０００３】
このようなＨＩＦＵ法を適用した超音波治療の一例として、特許文献１に開示されている超音波治療装置では、連続波の治療超音波及びパルス波の撮像超音波を発生する二つの役割を併せ持った超音波プローブと、この超音波プローブを駆動制御する超音波送信部を備えて構成されている。超音波送信部は、治療超音波プローブを駆動して集束超音波を発生させる電源を備えている。さらに、超音波治療装置は、超音波を反射する尿道用カテーテルを備えるとともに、ＨＩＦＵ法による治療領域をモニタリングする磁気共鳴撮像（ＭＲＩ）装置を備えている。一方、非特許文献１には、ＨＩＦＵの治療領域を対象にしたＭＲＩの撮像パラメータを検討した報告がある。
【０００４】
また、一般に、ＨＩＦＵ法においては、治療超音波プローブを駆動する超音波電気信号の振幅、振幅の変化パターン、治療超音波の照射時間、等々の治療パラメータを単独又は組み合わせて調整して、病変部である治療領域に照射する治療超音波パワーを制御している。
【先行技術文献】
【特許文献】
【０００５】
【特許文献１】特表２０００−５０７８５７号公報
【非特許文献】
【０００６】
【非特許文献１】Christakis Damianou, Kleanthis Ioannides,Venos Hadjisavvas, Nicos Mylonas, AndreasCouppis, and Demitris Iosif．In Vitro and In Vivo Brain Ablation Createdby High-Intensity Focused Ultrasound and Monitored by MRI．IEEE transactions on ultrasonics,ferroelectrics, and frequency control． Vol．56, No．6, JUNE 2009
【発明の開示】
【発明が解決しようとする課題】
【０００７】
しかし、従来のＨＩＦＵ法では、治療領域の中心あるいは辺縁にかかわらず、治療超音波パワーを一定に設定しているため、治療領域の辺縁部に照射した治療超音波により、辺縁部に隣接する正常組織がダメージ等の副作用を受けるなどの問題がある。逆に、治療領域の辺縁に隣接する正常な領域であっても、癌組織などの病変部が浸潤していることがあるから、治療領域の辺縁に隣接する領域の一定範囲にマージン領域を設定し、マージン領域を含めて治療超音波を照射するようにしている。マージン領域は、例えば、５ｍｍ幅程度、あるいはマージン率（例えば、１０％）に設定する。
【０００８】
ところで、辺縁部に隣接する正常組織の侵襲性の問題を回避するために、治療超音波パワーを一律に下げると、治療時間が長くなって患者に負担がかかるという問題がある。また、ＨＩＦＵ法を実施する際に、治療領域に照射する治療超音波パワーを照射位置ごとに調整することが考えられるが、治療超音波パワーを調整する術者の負担が大きいので実用的でない。
【０００９】
本発明が解決しようとする課題は、治療領域の位置に応じて治療超音波パワーを自動的に調整可能にして、術者の負担を軽減することにある。
【課題を解決するための手段】
【００１０】
上記の課題を解決する本発明の超音波治療装置は、基本的に、モニタに描出された病変部を含む画像に設定される三次元の治療領域を、治療領域の辺縁から中心に向かって複数の三次元の分割領域に分ける。そして、分割領域ごとに照射する治療超音波パワーを治療領域の辺縁からの距離に応じて調整する。つまり、治療領域を細分化（ブロック化）し、細分化したブロックごとに治療超音波パワーを辺縁からの距離に応じて自動的に調整する。ここで、治療超音波パワーとは、治療超音波プローブに供給する治療超音波の振幅、照射時間、照射パターンなどの治療パラメータにより決まる治療部位に照射される超音波エネルギーをいう。
【００１１】
これにより、例えば、治療領域の辺縁を含む分割領域（以下、辺縁部領域という。）には、治療領域の中心を含む分割領域よりも低い治療超音波パワーを照射する。そして、治療領域の中心側の分割領域（以下、中心部領域という。）には、辺縁からの距離に応じて高い治療超音波パワーを照射するようにする。さらに、治療領域に辺縁よりも外側のマージン領域には、辺縁部領域よりも低い治療超音波パワーを照射するようにする。これにより、治療超音波パワーの調整に係る術者の負担を軽減して、実用的で使い勝手に優れた超音波治療装置を提供できる。また、マージン領域の正常組織が受けるダメージ等の副作用を軽減できる。
【００１２】
なお、治療領域の分割は、腫瘍等の病変部の種類と大きさを考慮して行い、分割領域ごとに照射する治療超音波パワーの基準は、ユーザである術者が予め設定する。さらに、本発明によれば、治療領域の辺縁部を除く中心側の分割領域には十分に高い治療超音波パワーを照射することができるから、比較的短い時間で必要な治療を行うことができ、患者の負担を軽減することができる。
【００１３】
具体的には、本発明の超音波治療装置は、医用画像装置により撮像された患者の治療部位を含む画像（二次元又は三次元の画像）が表示されるモニタと、前記患者の治療部位に治療超音波を照射する治療超音波プローブと、前記モニタに描出された前記治療部位を含む画像に設定される治療領域を辺縁から中心に向かって複数の分割領域に分ける治療領域分割部と、前記分割領域ごとに照射する治療超音波パワーを治療領域の辺縁からの距離に応じて調整する治療超音波パワー設定部と、前記分割領域ごとに前記治療超音波パワー設定部で調整された前記治療超音波パワーに基づいて前記治療超音波プローブから照射される前記治療超音波パワーを制御する治療超音波パワー制御部とを備えて構成することができる。
【００１４】
また、本発明の超音波治療装置は、分割領域ごとに設定された治療超音波パワーの１回の照射で治療可能な三次元のボリュームに基づいて、三次元の分割領域ごとの１又は複数の照射位置を含む治療計画を策定する。そして、治療計画の照射位置に治療超音波を照射する治療超音波プローブの位置、向き及び超音波集束位置（照射位置）を示す誘導画像情報をモニタに表示する。この場合、誘導画像情報は、前記治療超音波プローブの位置、向き及び超音波集束位置を示す矢印と数値の少なくとも一方の画像情報を用いることができる。さらに、位置検出器により検出される治療超音波プローブの位置、向き及び超音波集束位置を示す模擬画像をモニタの治療部位を含む画像に重ねて表示する。
【００１５】
これにより、例えば、術者はモニタに表示される模擬画像の治療超音波プローブの位置、向き及び超音波集束位置を見ながら、誘導画像情報に合わせるように治療超音波プローブを移動操作することにより、治療計画に従った照射位置に容易に治療超音波プローブの超音波集束位置を合わせることができるので、極めて、使い勝手の良い超音波治療装置を提供することができる。なお、治療超音波プローブの移動操作は、術者による用手法に代えて、治療超音波プローブを直交３軸及び各軸周りに移動可能なマニピュレータを備えたロボットにより自動で移動操作させることができる。これによれば、治療超音波プローブの移動操作の習熟度を高めなくても、照射位置を精度よく制御することができる。
【００１６】
さらに、本発明の治療領域の分割領域には、前記治療領域の辺縁の外側に隣接する領域に予め設定されたマージン領域を含ませることができ、この場合、前記治療超音波パワー設定部は、前記マージン領域に照射する前記治療超音波パワーを前記辺縁部領域に照射する前記治療超音波パワーよりも低く設定することが好ましい。
【００１７】
さらに、誘導画像情報には、治療超音波プローブの位置及び向きを示す治療経路画像（矢印）を表示させ、あるいは数値情報を表示させることができる。また、治療済みの照射位置をメモリに記録することができる。数値情報には、治療超音波プローブの位置及び向き、照射位置までの距離、等を数値により表示する。
【００１８】
また、本発明の超音波治療装置には、医用画像装置としての磁気共鳴撮像装置（ＭＲＩ装置）、Ｘ線ＣＴ装置、超音波画像装置、その他の医用画像装置を備えて構成することができる。また、ＭＲＩ装置又はＸ線ＣＴ装置の撮像空間に位置された患者の超音波断層画像を撮像する超音波画像装置を備えて構成することができる。例えば、ＭＲＩ装置の場合は、三次元のボリューム画像データ（例えば、Ｔ１強調画像、Ｔ２強調画像）を取得して治療領域を含む二次元及び／又は三次元画像を再構成するＭＲ画像再構成部と、該ＭＲ画像再構成部により再構成された前記二次元及び／又は三次元画像を前記モニタに表示させる表示制御部とを備えて構成する。Ｘ線ＣＴ装置又は超音波装置の場合も、ＭＲＩ装置と同様に構成することができる。
【００１９】
また、治療前後のボリューム画像データから残治療領域の情報を得て、残治療領域を治療するための治療超音波プローブの位置及び向き、照射位置を求めて、モニタ等に表示して術者に提示する再治療フィードバック機能を設けることができる。これにより、治療進展の制御と治療経過情報を三次元的に分析して残治療領域を特定し、追加治療の有無情報を提示することが可能となる。
【発明の効果】
【００２０】
本発明によれば、治療領域の位置に応じて治療超音波パワーを自動的に調整可能にできるから、術者の負担を軽減することができる。
【図面の簡単な説明】
【００２１】
【図１】本発明の超音波治療装置の一実施形態の全体構成図である。
【図２】図１の実施形態の超音波装置の全体構成図である。
【図３】図１の実施形態の特徴部であるＨＩＦＵコントローラの詳細構成図である。
【図４】ＨＩＦＵ法を説明する図である。
【図５】治療超音波プローブの誘導画像情報を説明する図である。
【図６】治療領域を複数の分割領域に分割する手順の一例を説明する図である。
【図７】血管の治療領域を複数の分割領域に分割する方法の一例を説明する図である。
【図８】図７の分割法を実施した後に各分割領域の境界をスムージング処理する方法の一例を説明する図である。
【図９】治療領域の中心からの距離に応じて分割領域の治療超音波パワーを設定する方法を説明する図である。
【図１０】図１の超音波治療装置の処理手順を示すフローチャートである。
【図１１】図１の実施形態の超音波治療装置における超音波断層画像及びＭＲ断層画像の一例を示す図である。
【図１２】図１の実施形態の超音波治療装置における手術前のグラフィカルユーザインターフェイス（ＧＵＩ）の表示例を示す図である。
【図１３】図１の実施形態の超音波治療装置における手術中のグラフィカルユーザインターフェイス（ＧＵＩ）の表示例を示す図である。
【図１４】図１の実施形態の超音波治療装置における手術後のグラフィカルユーザインターフェイス（ＧＵＩ）の表示例を示す図である。
【発明を実施するための形態】
【００２２】
以下、本発明の一実施形態の超音波治療装置を添付図面に基づいて詳細に説明する。図１に示すように、本実施形態の超音波治療装置は、超音波装置１と、ＭＲＩ装置２と、術者用モニタ３と、位置検出システム４を備えて構成される。超音波装置１には、超音波断層画像を撮像する機能と超音波治療の機能とが組み込まれている。また、超音波装置１は、超音波装置本体１１と、超音波モニタ１２と、超音波プローブ１３、及び超音波プローブ１３の位置検出器を構成するポインタ１４を備えて構成されている。超音波プローブ１３は、超音波断層画像を撮像するための超音波を送受する超音波探触子１３ａと、治療超音波を照射する治療超音波プローブ１３ｂとを一体に組み込んで形成されている。
【００２３】
ＭＲＩ装置２は、例えば、垂直磁場方式永久磁石ＭＲＩ装置であり、垂直な静磁場を発生させる上部磁石２１と下部磁石２２、これら磁石を連結するとともに上部磁石２１を支持する支柱２３、ベッド２４、コンピュータ２５、ＭＲ制御部２６、映像記録装置２７を含んで構成されている。また、ＭＲＩ装置２は、領斜磁場をパルス的に発生させる図示しない傾斜磁場発生部と、ベッド２４に横臥された静磁場中の患者５０に磁気共鳴を生じさせるための図示しないＲＦ送信器と、患者５０からの磁気共鳴信号を受信する図示しないＲＦ受信器を備えている。
【００２４】
コンピュータ２５には、赤外線カメラ４１が検出して算出したポインタ１４の位置及び向きの検出情報が、超音波プローブ１３の位置及び向きの位置データとして、ケーブル２８を介して入力される。コンピュータ２５は、入力されるポインタ１４の位置及び向きの検出情報に基づいて、ＭＲＩ装置２のＭＲ画像の位置データに変換し、ＭＲ制御部２６へ送信するようになっている。ＭＲ画像の位置データは、撮像シーケンスの撮像断面へ反映され、新たな撮像断面で取得されたＭＲ画像は術者モニタ３に表示されるようになっている。また、ＭＲ画像は映像記録装置２７に同時に記録される。ちなみに、ポインタ１４は、断層面指示デバイスとして機能するから、穿刺針などにポインタ１４を取り付け、穿刺針のある位置及び向きを常に撮像断面とするように構成することができる。この場合、モニタ３には針を常に含む断面が表示されることになる。ＭＲ制御部２６は、ワークステーションで構成されてコンピュータ２５に接続され、ＭＲＩ装置２の図示しないＲＦ送信器、ＲＦ受信器などを制御するようになっている。
【００２５】
また、映像記録装置２７には、手術前に取得された患者５０の治療部位に係る病変部を含むボリューム画像データが格納されている。つまり、例えば、患者５０の体軸に直交するスライス断像画像を体軸方向にずらして複数枚取得したボリューム画像データが格納されている。本実施形態の場合は、ＭＲＩ装置２で取得したボリューム画像データが格納されているが、本発明はこれに限られず、Ｘ線ＣＴ又は超音波装置１により取得したボリューム画像データでよいことは言うまでもない。また、映像記録装置２７に格納されたボリューム画像データには、位置検出システム４の基準ツール４２の座標系に変換された座標データ又は変換可能な座標データが付されている。そして、コンピュータ２５は、ボリューム画像データに基づいて、周知のボリュームレンダーリング法によりボリュームレンダリング画像（以下、三次元画像という。）を生成して、術者用モニタ３に表示するように構成されている。
【００２６】
術者用モニタ３は、図示例では、２つの表示画面３ａ、３ｂを備えてなり、モニタ支持部３１を介して回転自在にＭＲＩ装置２の上部磁石２１に支持されており、表示画面の位置及び姿勢を自由に調整できるようになっている。位置検出システム４は、２台の赤外線カメラ４１と、赤外線を発光する図示しない発光ダイオードと、基準ツール４２を含んで構成されている。また、位置検出システム４は、支持アーム４３を介して姿勢を自由に変えられるように回転自在にＭＲＩ装置２の上部磁石２１に支持されている。基準ツール４２は、３つの反射球４４を備え、上部磁石２１の側面に設けられている。これにより、位置検出システム４は断層面指示デバイスであるポインタ１４の位置及び姿勢（向き）を検出し、赤外線カメラ４１の座標系とＭＲＩ装置２の座標系をリンクさせるようになっている。
【００２７】
超音波装置１の超音波装置本体１１は、ＭＲＩ装置２を制御するコンピュータ２５と接続されている。ポインタ１４が取り付けられた超音波プローブ１３の超音波探触子１３ａで得られる超音波断層画像を専用の超音波モニタ１２に映し出すだけでなく、コンピュータ２５に転送し、画像処理が行われて術者用モニタ３に映し出すことが可能になっている。つまり、術者が把持する超音波探触子１３ａにより撮像される患者５０の断層画像を超音波モニタ１２に表示する。なお、断層画像の断層位置は、超音波探触子１３ａに取り付けられたポインタ１４により指示することができ、ポインタ１４により検出された位置及び傾きの断層画像が術者モニタ３表示される。また、超音波プローブ１３はＭＲＩ装置２の磁場内でも作動可能なセラミックなどの非磁性体で形成されている。
【００２８】
ここで、図２を参照して、超音波装置１の詳細構成を説明する。超音波装置本体１１は、本実施形態の特徴部であるＨＩＦＵコントローラ１１０と、超音波送受信部１１１と、超音波画像構成部１１２と、超音波制御部１１３と、ユーザとのインターフェイスであるコントロールパネル１１４とを備えて構成されている。超音波送受信部１１１は、超音波プローブ１３の超音波探触子１３ａに接続され、超音波探触子１３ａで受信された反射エコー信号は超音波画像構成部１１２に入力されるようになっている。超音波制御部１１３は、超音波送受信部１１１と超音波画像構成部１１２と、ＨＩＦＵコントローラ１１０を制御するようになっている。コントロールパネル１１４は、超音波制御部１１３に指示を与えるようになっている。
【００２９】
このように構成されることから、超音波装置本体１１は、超音波探触子１３ａから患者５０内に超音波を送受信し得られた反射エコー信号を用い、診断部位について二次元又は三次元の超音波画像を生成して超音波モニタ１２あるいは術者用モニタ３に表示できるようになっている。また、ＨＩＦＵコントローラ１１０から治療超音波プローブ１３ｂを介して患者５０に治療超音波を照射し、照射した部位の病変部を温熱により変性させて治療を行うことができるようになっている。
【００３０】
なお、本実施形態では、超音波断層画像を撮像するための超音波探触子１３ａと、治療超音波を照射する治療超音波プローブ１３ｂとを別々に設けた例を説明したが、本発明はこれに限らず、同一の振動子を超音波断層画像の撮像用と、治療超音波の照射用に使い分けることもできる。この場合、ＨＩＦＵコントローラ１１０は、撮像用として動作させる場合は患者５０に照射する超音波パワーを弱め、治療超音波用として動作させる場合は患者５０に照射する超音波パワーを強めるように、超音波駆動信号をパルス波又は連続波に切替えるとともに、超音波駆動信号の振幅を制御する。また、本実施形態では、超音波画像装置と超音波治療装置とを１つの超音波装置として構成したが、これらを別々に分けて構成することができる。
【００３１】
図３に、ＨＩＦＵコントローラ１１０の詳細構成図を示す。ＨＩＦＵコントローラ１１０は、コンピュータをプログラムで作動させて機能を発揮する治療領域設定部１１１と、治療領域分割部１１２と、治療超音波パワー設定部１１３と、治療計画策定部１１４と、治療超音波パワー制御部１１５と、治療超音波プローブ誘導部１１６とを備えて構成される。また、ＨＩＦＵコントローラ１１０は、ＨＩＦＵ電源部１１７とＨＩＦＵメモリ１１８と、各部間の信号伝送を行うバス１１９を備えて構成されている。バス１１９には、超音波制御部１７とＭＲＩ装置２のコンピュータ２５とが通信可能に接続されている。ＨＩＦＵ電源部１１７は、図示していないが、患者５０内に治療超音波を照射する治療超音波信号の発生部を備え、治療超音波プローブ１３ｂに接続されている。このように構成されるＨＩＦＵコントローラ１１０は、超音波制御部１７からの制御指令に応じて動作されるようになっている。
【００３２】
ここで、図４を参照して、ＨＩＦＵコントローラ１１０による治療手順の概要を説明する。図４（ａ）に示すように、治療超音波プローブ１３ｂから照射される集束超音波１３１は、予め設定された１点の超音波集束位置であるターゲット１３２に集束するようになっている。図４（ｂ）に示すように、集束超音波１３１の1回の照射により温熱変性される三次元領域は、照射深度方向に直交する直径Φが５〜１０ｍｍの領域である。なお、実際に温熱変性される三次元領域は、球形ではなく、断面が円形で照射深度方向に長さを有するラグビーボール状の領域である。したがって、集束超音波１３１による治療を行う際は、図４（ｃ）に示すように、治療超音波の照射位置であるターゲット１３２の位置を二次元及び三次元に順次移動させて、三次元の治療領域１３３及び後述するマージン領域の全域に集束超音波１３１を照射する。ここで、周知のＡＲＦＩ（Acoustic Radiation Force Impulse）による焦点可視化を行うことができる（非特許文献２参照）。ＡＲＦＩによれば、理想的な焼灼領域に対して、生体組織内の実際の影響領域を算出することができるから、三次元計測を行うことで立体的な治療予定領域を算出できる。
【００３３】
【非特許文献２】Palmeri ML, Wang MH, Dahl JJ, Frinkley KD, et al． Quantifyinghepatic shear modulus in vivo using acoustic radiation force．Ultrasound inMedicine & Biology 2008;34:546-58．
【００３４】
次に、図５を参照して、ＨＩＦＵコントローラ１１０による超音波治療について、図３の各部の処理動作に分けて説明する。まず、術者が超音波プローブ１３を患者の治療を行う例えば頭部の外皮に当てる。これにより、超音波探触子１３ａにより超音波断層像が撮像されると、コンピュータ２５はその超音波断層像に対応するＭＲ画像を、映像記憶装置２７に記憶されているボリューム画像データから切り出して、図５に示すように、アキシャル（Axial）画像、サジタル（Sagittal）画像、コロナル（Coronal）画像の直交３断面画像を含むナビゲーション画像１３０が術者用モニタ３には表示される。また、術者用モニタ３には、ナビゲーション画像１３０の一つとしてボリュームレンダリングにより作成した三次元画像を表示させることができる。
【００３５】
治療領域設定部１１１は、術者用モニタ３に表示される治療部位を含むナビゲーション画像１３０に基づいて、自動又は用手法により治療領域１３３の外縁に、輪郭線を描画させて設定する。また、同様にして、術者は、ナビゲーション画像１３０に警告領域１３４の輪郭線を描画させて設定する。なお、ナビゲーション画像１３０上には、後述する治療超音波プローブ誘導部１１６の機能により、治療超音波プローブ１３ｂの位置及び向きを示す模擬画像１３５が重畳表示される。また、ナビゲーション画像１３０上の模擬画像１３５には、治療超音波プローブ１３ｂの照射位置であるターゲット１３２が含まれている。
【００３６】
治療領域分割部１１２は、術者モニタ３に描出される治療部位を含む画像に設定される治療領域を、辺縁から中心に向かう複数の分割領域に分けるとともに、治療領域の辺縁の外側に隣接するマージン領域を設定するようになっている。
【００３７】
図６を参照して、治療領域を複数の分割領域に分割する一実施形態の方法を説明する。例えば、腹部５０１をＭＲＩ装置で撮像したＭＲ画像に基づいて、治療領域設定部１１１により自動又は用手法で治療領域５０２が輪郭線で設定されているものとする。図６の例では、治療領域５０２を中心部領域５０３と辺縁部領域５０４の２つに分割し、さらに辺縁部領域５０４に隣接するマージン領域５０５に分割して設定する。この設定は、ユーザが設定した治療領域５０２に基づいて自動設定するか、コントロールパネル１８から用手法によりにより設定する。図において中心部領域５０３、辺縁部領域５０４、マージン領域５０５の円形で示した１つの領域の大きさは、例えば３０〜４０ｍｍに設定することができるが、１回の超音波照射で変性可能な直径５〜１０ｍｍを基準に分割することもできる。これによれば、分割領域を一層きめ細かく分けることになり、これに応じて精度の高い治療効果を得ることができる。
【００３８】
すなわち、図６の実施形態では、治療領域分割部は、術者モニタに描出された直交３軸断面画像に設定された治療領域の輪郭線を治療領域の辺縁として、輪郭縁の内側領域を予め設定された径の基準円で埋め、輪郭縁に接する基準円で埋められる領域を辺縁部の分割領域とし、辺縁部の分割領域よりも内側の領域を中心部の分割領域として分割している。また、治療領域の輪郭線の外側に接する基準円で埋められる領域をマージン領域として分割するしている。そして、治療超音波パワー設定部は、基準円を１回の治療超音波の照射位置として各分割領域に応じた治療超音波パワーを調整するようにすることができる。
【００３９】
ここで、図７と図８を参照して、治療領域の分割法の他の実施形態について説明する。本実施形態は、血管を利用して複数の分割領域に分ける例である。図６と同じように、治療領域設定部１１１は、腹部６０１をＭＲＩ装置で撮像して得られる画像に基づいて、治療領域６０２内の血管６０３を特定する。そして、治療領域分割部１１２は、例えば、治療領域６０２を血管領域６０５、辺縁部領域６０６、マージン領域６０７、６０８に分割して設定する。さらに、内部でスムージング処理を行い、血管領域７０６、辺縁部領域７０７、マージン領域７０８を再設定する。
【００４０】
治療超音波パワー設定部１１３は、図８に示すように、分割領域のそれぞれに対して、治療領域の辺縁からの距離に応じて治療超音波パワーを設定する。図８の例では、辺縁部領域７０７を中強度領域とし、血管領域７０６を治療超音波パワーの高強度領域とし、マージン領域７０８を弱強度領域として設定する。そして、設定した治療超音波パワーの強度に応じて、各分割領域の表示形態（例えば、色相、点滅、表示マーク、など）を異ならせて、術者が容易に違いを視認できるようにすることができる。さらに、ターゲット１３２が分割領域のいずれかに入ったときに、その領域に設定された治療超音波パワーの強度に応じて表示形態を変えることができる。治療超音波パワー設定部１１３は、分割領域ごとに照射する治療超音波パワーを治療領域の辺縁からの距離に応じて増大し、マージン領域には辺縁からの距離に応じて低減して設定するようになっている。
【００４１】
すなわち、図７、図８の実施の形態によれば、治療領域分割部は、術者モニタに描出された直交３軸断面画像の血管壁の内側の血管領域と、血管壁の外側に接する予め設定された径の基準円により埋められる辺縁部領域とからなる分割領域に分割する。また、治療領域分割部は、辺縁部領域の外側に接する基準円により埋められる領域をマージン領域として分割する。そして、治療超音波パワー設定部は、基準円を１回の治療超音波の照射位置として各分割領域に応じた治療超音波パワーを調整するようにすることができる。
【００４２】
図９に、３つの分割領域に分けた弱強度領域１２０１、中強度領域１２０２、高強度領域１２０３の治療超音波パワーの設定例を示す。図９（ａ）は、マージン領域である弱強度領域１２０１の外縁から辺縁（中強度領域１２０２の外縁）までの距離に応じて治療超音波パワーを増加させて設定する例である。同図（ｂ）は、辺縁（中強度領域１２０２の外縁）から中心部領域（高強度領域１２０３）の外縁までの距離に応じて治療超音波パワーを変化させて設定した例である。同図（ｃ）は、中心部領域（高強度領域１２０３）の外縁から治療領域の中心までの距離に応じて治療超音波パワーを変化させて設定した例である。図からわかるように、各強度領域の境界では治療超音波パワーが同じ値に設定されている。各分割領域の治療超音波パワーの中心からの強度パターンは、ユーザが予め設定しておくものである。しかし、治療中においても治療超音波パワーの中心からの強度パターンは変更可能である。
【００４３】
治療計画策定部１１４は、治療超音波パワー設定部１１３により設定された分割領域ごとに、治療超音波パワーの１回の照射で治療可能なボリュームに基づいて、分割領域ごとの１又は複数の照射位置を含む治療計画を策定するようになっている。治療計画は、治療超音波の照射方向（経路）、照射位置までの距離を含んで策定される。
【００４４】
治療超音波パワー制御部１１５は、治療領域分割部１１２により分割された分割領域ごとに治療超音波プローブ１３ｂから照射する治療超音波パワーを、治療超音波パワー設定部１１３の設定に従って制御するようになっている。
【００４５】
治療超音波プローブ誘導部１１６は、治療計画策定部１１４により策定された治療計画に従って、照射位置に治療超音波を照射する治療超音波プローブ１３ｂの位置、向き及び超音波集束位置を示した誘導画像情報を含むナビゲーション画像１３０を作成して、図５に示したように、術者モニタ３に表示するようになっている。また、ポインタ１４により検出される治療超音波プローブ１３ｂの位置、向き及び超音波集束位置を示す模擬画像を作成して、術者モニタ３の治療部位を含む画像に重ねて表示するようになっている。すなわち、治療超音波プローブ誘導部１１６は、例えば、ベッド２４上に固定された患者５０の病変部に治療超音波プローブ１３ｂを用いて治療超音波を照射して治療を行う。治療超音波プローブ１３ｂの位置及び向きは、コンピュータ２５により、位置検出システム４に取り付けられた２つの赤外線カメラ４１にて検出されたポインタ１４の位置及び向きに基づいて検出されて、治療超音波プローブ誘導部１１６に伝送される。また、ポインタ１４は超音波プローブ１３に取り付けられているから、超音波断層画像の位置及び向きを検出することになる。コンピュータ２５は、位置検出システム４から入力される超音波断層画像に対応したＭＲ断層画像をボリューム画像データから切り出して術者用モニタ３に表示する。また、同位置の三次元画像を再構成して術者用モニタ３に表示する。また、治療超音波プローブ誘導部１１６は、ナビゲーション画像１３０上のターゲット１３２が警告領域１３４内に入った場合、治療超音波パワーを自動的に低減したり、警告を発する機能を有している。警告は、ターゲット１３２又は警告領域１３４の表示形態（色又は点滅）を変えたり、警告音等により行うことができる。
【００４６】
次に、図１０のフローチャートを参照して、本実施形態の超音波治療装置を用いた治療手順について説明する。
（Ｓ１０１）
ＭＲＩ装置２を用いて治療対象である病変部を含む二次元のＭＲ断層像を患者５０の体軸方向にずらして複数枚撮像してボリューム画像データを取得して映像記録装置２７に格納する。また、三次元画像を再構成して映像記録装置２７に格納する。この処理は、ＭＲＩ装置２のコンピュータ２５により実行されるが、以下のＳ１０２〜Ｓ１１５の処理は、コンピュータ２５とＨＩＦＵコントローラ１１０の協働により実施される。
（Ｓ１０２）
コンピュータ２５は、ＨＩＦＵコントローラ１１０から伝送されるポインタ１４の位置及び向きの検出信号に基づいて、超音波探触子１３ａにより撮像される超音波断層画像の位置及び向きを求め、映像記録装置２７に格納された三次元ボリューム画像データから超音波断層画像に対応するＭＲ断層像を再構成して術者モニタ３に描出させる。つまり、超音波探触子１３ａを移動操作して治療領域を含む直交３断面画像と三次元画像を含むナビゲーション画像１３０を術者モニタ３に描出させる。そして、治療領域設定部１１１は、ナビゲーション画像１３０に基づいて、画像処理により自動的に、又は超音波装置１のコントロールパネル１８から入力される指定に従って治療領域１３３を設定する。設定された治療領域は三次元の座標データとしてＨＩＦＵメモリ１１８に格納される。次いで、治療領域分割部１１２は、設定された治療領域１３３を中心からの距離に応じて複数の分割領域に分ける。分割領域は３次元の座標データとして分割領域ごとにＨＩＦＵメモリ１１８に格納される。
（Ｓ１０３）
さらに、治療領域分割部１１２は、治療領域１３３の辺縁部領域の外側に隣接するマージン領域を設定して、三次元の座標データとしてＨＩＦＵメモリ１１８に格納する。
（Ｓ１０４）
治療超音波パワー設定部１１３は、分割領域ごとの治療超音波パワー、及びマージン領域の治療超音波パワーを設定するとともに、必要に応じて治療超音波パワーに関する治療パラメータを設定する。治療超音波パワー設定部１１３は、照射位置ごとに設定された治療超音波パワーを分割領域及びマージン領域に対応付けてＨＩＦＵメモリ１１８に格納する。
（Ｓ１０５）
治療計画策定部１１４により、治療計画を策定する。すなわち、三次元の分割領域ごと及びマージン領域の１又は複数の照射位置を含む治療計画を策定する。さらに、治療計画の照射位置に治療超音波を照射する治療超音波プローブ１３ｂの位置、向き及びターゲット１３２を各照射位置について求める。策定した治療計画は、照射位置ごとに治療超音波を照射する治療超音波プローブの位置、向き及び超音波集束位置をＨＩＦＵメモリ１１８に格納する。
（Ｓ１０６）
ここで、患者５０の生体情報（例：血圧・心拍数・発汗・体温等の異常上昇や意識の喪失）をモニタリングする装置を必要に応じて装着する。
（Ｓ１０７）
治療超音波プローブ誘導部１１６は、ナビゲーション等の手術支援誘導機能を起動する。
（Ｓ１０８）
Ｓ１０７までが超音波治療前（手術前）の準備段階であり、Ｓ１０８で超音波治療の手術を開始する。
【００４７】
（Ｓ１０９）
手術は、治療超音波プローブ誘導部１１６によって実施される。治療超音波プローブ誘導部１１６は、治療超音波プローブ１３ｂの位置及び向きの変化に追従して、ナビゲーション画像１３０上に治療超音波プローブ１３ｂ及び照射位置であるターゲット１３２の模擬画像１３５を、グラフィカルユーザインタフェース（ＧＵＩ）である術者モニタ３に重畳表示する。
【００４８】
（Ｓ１１０）
また、治療超音波プローブ誘導部１１６は、ＨＩＦＵメモリ１１８から治療計画を読み出し、照射位置ごとに治療超音波を照射する治療超音波プローブ１３ｂの位置、向き及び照射位置を示す誘導画像情報を術者モニタ３に重畳表示する。誘導画像情報は、治療超音波プローブ１３ｂの位置、向き及び照射位置を示す矢印（図１３の符号１０３８）と数値情報の少なくとも一方の画像情報を用いることができる。例えば、術者は術者モニタ３に表示される模擬画像１３５の治療超音波プローブ１３ｂとターゲット１３２を見ながら、誘導画像情報である矢印（図１３の符号１０３８）に合わせるように、治療超音波プローブ１３ｂを移動操作する。これにより、治療計画に従った照射位置（図１３の符号１０１５）に容易に治療超音波プローブ１３ｂのターゲット１３２を位置合わせすることができるので、極めて、使い勝手を良くすることができる。
（Ｓ１１１）
治療超音波プローブ１３ｂの誘導の結果は、ナビゲーション画像１３０にて模擬画像１３５のターゲット１３２の位置と治療計画の照射位置（図１３の符号１０１５）との一致を確認して、治療超音波による治療の準備を行う。つまり、ＨＩＦＵコントローラ１１０により、ターゲット１３２の位置を今回の照射位置として特定して、治療領域内のどの領域が治療されるのかを判別する。
（Ｓ１１２）
治療超音波パワー制御部１１５は、今回の照射位置に対応する治療超音波パワーを、治療超音波パワー設定部のＨＩＦＵメモリ１１８から読み出して制御する。
（Ｓ１１３）
治療超音波パワー制御部１１５は、治療超音波プローブ１３ｂに供給する治療超音波の振幅、照射時間、照射パターンなどの治療パラメータを制御して、治療超音波パワー設定部１１３により設定された治療超音波パワーが治療超音波プローブ１３ｂから照射位置に出力されるように制御する。照射パターンとは、治療超音波パワーの照射シーケンスの時間的変化パターンのことである。つまり、トリガードパルスと称される瞬間的に高パワーの超音波を照射し、照射位置の生体組織内に泡を発生させた後、弱い超音波パワーを照射することによりキャビテーション作用を起こさせて病変部を変性させる周知の方法を実施する際の照射パターンである。治療時の治療領域の変性は、術者モニタ３に表示されるＭＲ画像によりモニタリングするようになっている。
（Ｓ１１４）
ＭＲＩ装置２のコンピュータ２５は、超音波治療による治療効果確認を行う。
（Ｓ１１５）
そして、残治療領域があるかどうか判断する。具体的には、治療前に造影剤を用いて撮像したＭＲ画像と治療後のＭＲ画像とを取得し、それらの画像の差分画像を求めて術者モニタ３に表示することにより、治療済領域と残治療領域の可視化が可能となるので、治療効果判定を行うことができる。そして、残治療領域が存在する場合には、Ｓ１０９に戻って、超音波治療の追加処理を繰り返す。
【００４９】
ここで、図１１に、超音波装置１とＭＲＩ装置２とで交互に撮像したときの断層画像の一例を示す。患者５０に対して術者が超音波探触子１３ａを当てて治療部位を含む超音波断層画像１３６を撮像すると、超音波断層画像１３６が超音波モニタ１２と術者モニタ３に表示される。つまり、コンピュータ２５が超音波断層画像１３６に対応するＭＲ断層画像をボリューム画像データから切り出し、前述したように術者用モニタ３にＭＲ断層画像１３７を表示する。ここで、治療部位に応じて術者が超音波探触子１３ａを移動させると、これに追従して超音波断層画像１３６及びＭＲ断層画像１３７が追従して超音波モニタ１２及び術者用モニタ３の表示画像が変わる。
【００５０】
このようにして、図１１に示すように、超音波探触子１３ａによる超音波断層画像１３６と、と同一位置のＭＲ断層画像１３７を得ることが可能になり、それぞれ交互に撮像を行って画像情報を取得することが可能となる。ＭＲＩ装置２の高速撮像シーケンスの応用のひとつとして、フルオロスコピー（透視撮像）と呼ばれるリアルタイム動態画像化法が臨床応用されつつある。フルオロスコピーでは、１秒以下程度の周期で撮像と画像再構成を繰り返すことにより、あたかもＸ線透視撮像のように体内組織の動態抽出や体内に外部から挿入した器具の位置把握に用いることができる動態画像を生成・表示することができる。この応用は三次元高速撮像にも応用されている。
【００５１】
以下に、図１２〜図１４を参照して、超音波治療による手術前、手術中及び手術後のグラフィカルユーザインターフェイス（ＧＵＩ）の実施形態の一例について説明する。図１２は、手術前のシミュレーション時における術者モニタ３（３ａ、３ｂ）に表示されるＧＵＩ画面９００の一例である。ＧＵＩ画面９００は、ナビゲーション画像９００ａと、治療計画情報画面９００ｂと、各種の操作ボタン画面を含んでいる。
【００５２】
ＧＵＩ画面９００のＭＲＩ装置２の３Ｄ撮像ボタン９０１を押下すると、コンピュータ２５が作動して、ポインタ１４が指示する超音波断層画画像に対応するＭＲ画像のAxial断面画像９１０、Sagittal断面画像９１１、Coronal断面画像９１２、三次元画像９１３が再構成されてナビゲーション画像９００ａに表示される。また、ＧＵＩ画面９００の治療領域描出ボタン９０２を押下すると、ＨＩＦＵコントローラ１１０の治療領域設定部１１１と治療領域分割部１１２が動作する。治療領域設定部１１１は、コントロールパネル１８のマウス等のツールから入力される指令に従って又は自動的に治療領域を設定する。これにより、治療計画情報画面９００ｂに治療領域９２１が表示される。次いで、治療領域分割部１１２が作動し、設定された治療領域９２１を複数の分割領域に分割（セグメンテーション）し、治療計画情報画面９００ｂに、治療領域９２１を２分割した分割領域９２２、９２３及びマージン領域９２４が表示される。ここで、分割領域９２２は中心部分割領域であり、分割領域９２３は辺縁部分割領域である。各分割領域９２２、９２３及びマージン領域の境界は、それぞれ輪郭線により表示される。また、この場合、図８で説明したように、各分割領域９２２、９２３及びマージン領域を色分け表示などにより、表示形態を異ならせて表示するようにすることができる。
【００５３】
また、治療計画情報画面９００ｂには、治療情報として、例えば、腫瘍領域と治療領域の差（全軸方向の距離）、治療経過時間及び残治療時間、病変・治療領域の直径／半径、治療インターバルタイム、アラーム他の治療情報が表示される。さらに、実際の手術時には手術の経過を表示することができ、治療計画情報画面９００ｂに治療経過・生体情報の他に、ログ情報として腫瘍領域と治療領域の差も情報としてリアルタイム表示することができる。
【００５４】
治療超音波パワー入力ボタン９０３を押下することで、治療領域９２１に係る各領域９２２、９２３、９２４に対する治療超音波パワーを入力設定することができる。
【００５５】
また、ＨＩＦU治療計画（プローブ位置計算）ボタン９０４を押下すると、治療計画策定部１１４が動作して、前述したように治療計画が策定される。策定された治療計画は、治療計画情報画面９００ｂに表示されるようになっている。また、治療計画情報画面９００ｂの内容は、別視点／角度から種々の情報を閲覧することもできる。治療直前には、ＨＩＦＵ治療計画ボタン９０４を押下すると、治療超音波プローブ誘導部１１６が作動して、ターゲット１３２と治療超音波プローブ１３ｂの模擬画像１３５と、照射経路１３６がＧＵＩ画面９００のナビゲーション画像９００ａに描出される。なお、治療超音波パワーに応じて模擬画像１３５の治療超音波プローブ１３ｂの位置及び向き、さらに照射経路１３６の補正が行われ、結果がナビゲーション画像９００ａ上に表示されるとともに、その結果はＨＩＦＵメモリ１１８に記録される。すなわち、治療超音波パワーに応じて照射経路１３６が屈折等することから、これに合わせて補正するためである。
【００５６】
さらに、ＧＵＩ画面９００の操作ボタン画面領域の禁忌情報ボタン９０５を押下して、例えば、不整脈、人工心臓等の患者固有情報を入力し後、手術開始ボタン９０６を押下することで、手術（治療）開始となる。これにより、治療に必要な治療超音波プローブ１３ｂ等の機器、治療超音波パワー制御部１１５、及び、治療超音波プローブ誘導部１１６等の手術支援機能が連動して動作するようになっている。
【００５７】
図１３は、手術中のＧＵＩ画面１０００の一例であり、左側が超音波画像による治療状態画像１０００ａであり、右側がＭＲ画像によるナビゲーション画像１０００ｂである。手術中の操作ボタン画面には、ＩＳＣボタン１００１、生体情報ボタン１００２、ナビゲーションボタン１００３、ＡＲＦＩ（治療予定領域）１００４、領域（範囲）情報ボタン１００５、警告情報ボタン１００６、治療開始ボタン１００７、画像情報ボタン１００８、ログボタン１００９、評価・解析ボタン１０１０が設けられている。治療は、生体情報ボタン１００２とナビゲーションボタン１００３を押下して、画像誘導により行われる。生体情報ボタン１００２を押下すると、治療状態画像１０００ａの生体情報画像１０２５に、患者情報や手術情報の詳細情報が表示される。治療は、策定された治療計画に従って行われるが、必要に応じて策定された矢印で示される計画照射経路の誘導画像情報１０３８を補正しながら行う。
【００５８】
治療状態画像１０００ａは、治療前画像１０１１、治療中（リアルタイム）画像１０１３、治療後（リアルタイム）画像１０１７がそれぞれ表示される。なお、図示していないが、治療超音波の照射位置の深度や周波数等の各種の治療パラメータが分かるようになっている。また、治療前画像１０１１は治療予定領域１０１２が、治療中画像１０１３は超音波照射経路１０１４と照射位置１０１５と治療の影響波及領域１０１６とが、治療後画像１０１７は治療済み領域１０１８、１０１９が分かるようになっている。治療予定領域１０１２は、予め算出したマージン領域を含めて表示されている。
【００５９】
なお、治療直前にＡＲＦＩボタン１００４を押下することにより、治療計画に従って超音波照射幅１０１４、予定の照射位置１０１５が事前に描出される。また、予定の照射位置１０１５の周辺組織へ影響を与える可能性がある影響波及領域１０１６を表示させることができる。これは、生体に間接的に影響する範囲を描写するものであり、影響波及領域１０１６が正常組織に極力かからないように注意喚起するものである。また、領域情報ボタン１００５を押下して、治療後画像１０１７に各種の警告情報を表示することもできる。例えば、過去に治療した治療済み領域１０１８を重畳表示し、治療予定領域１０１２を越えている場合、あるいは患者に異常が生じた場合には、警告を発する機能を有する領域情報ボタン１００５を自動的にオン／オフする機能も有している。
【００６０】
一方、ナビゲーション画像１０００ｂには、ＭＲＩ画像の直交３軸断面画像１０３１〜１０３３が表示されている。これらの直交３軸断面画像１０３１〜１０３３には、治療超音波プローブ１３ｂの位置を示す模擬画像１３５を重畳表示することができるようになっている。さらに、治療超音波プローブ１３ｂに応じたターゲット１３２を表示することができるようになっている。ＧＵＩ画面１０００は、治療状態画像１０００ａとナビゲーション画像１０００ｂを変更することもできる。マージン領域を含む治療領域１０１２及びターゲット１３２とその影響波及領域１０１６も直交３軸断面画像１０３１〜１０３３に重畳表示することができ、実空間の模擬画像１３５と治療計画に従った照射位置及び照射経路を示す誘導画像情報１０３８を用いて手術を実施することなる。治療超音波パワーは治療超音波パワー入力ボタン９０３を押し下げて適宜変更することができる。また、誘導画像情報１０３８は、治療計画に従った各分割領域又は各照射位置を数値情報により一覧表示することも可能である。治療開始ボタン１００７に連動して、画像情報ボタン１００８、ログボタン１００９、治療の評価・解析ボタン１０１０をオンさせることができる。勿論、これらの操作ボタンは必要に応じて手動でオン／オフすることもできる。
【００６１】
画像情報ボタン１００８と評価・解析ボタン１０１０をオン（押下）すると、治療前と治療中の治療済み情報及び治療前後の差分画像を表示させることができる。これにより、治療経過及び残治療の有無が画像情報として表示される。また、ログボタン１００９をオンすると、過去に行った治療経過のログ情報を表示させることができ、これにより治療経過内容を見直すことができる。
【００６２】
その他、直交３軸断面画像１０３１〜１０３３上には、治療経過画像が表示されており、ナビゲーション画像１３０上における治療領域１０１２等に対して、治療済み領域及び残治療領域が重畳表示されているほか、直前（最近）の治療領域が重畳表示される。治療計画情報画面９２０の付加機能として、残治療領域に対する治療の経路を算出する機能もあり、残治療領域への照射経路に係る誘導画像情報１０３８を自動的に算出することもできる。また、ＭＲＩ装置の撮像空間内で治療を行う場合には、ＩＳＣボタン１００１を押下することで超音波断層画像と同一断面におけるＭＲ断層画像を撮像することができ、別画面に表示することもできる。ＭＲ画像上には治療領域、マージン領域、ＡＲＦＩによる治療予定領域（照射領域）が同じように表示され、組織コントラストの異なる画像が表示される。また、ＭＲ断層画像の長所としては、患者の体の深部まで画像化できることが挙げられる。これより、術者は直前の治療状態画像１０００ａを目視して治療超音波プローブ１３ｂの移動を行い、かつ追加治療を行うことができる。治療前後の情報は、超音波画像１０１１、１０１７、直交３軸断面画像１０３１〜１０３３及び三次元画像１０３４を表示できる。また、これらの画像の他に、手術情報１０２５を表示することもできる。
【００６３】
図１４は、手術後のＧＵＩ画面１１００の一例であり、左側がＭＲ画像によるナビゲーション画像１１００ａであり、右側がＭＲ画像による治療評価・解析画像１１００ｂである。手術中の操作ボタン画面のＭＲＩの３Ｄ撮像ボタン１１０１を押下することで、ＭＲ画像によるAxial断面画像１１１１、Sagittal断面画像１１１２、Coronal断面画像１１１３、三次元画像１１１４が再構成されて表示される。また、造影剤ボタン１１０２を押下することで、ナビゲーション画像１１００ａと治療評価・解析画像１１００ｂが造影ＭＲ画像により、予め算出した治療領域１０１２と実際に治療した治療済み領域１０１５がそれぞれ表示される。治療評価・解析画像１１００ｂには、拡大されたＭＲＩ造影前画像１１２１、拡大されたＭＲＩ造影後画像１１２３、差分画像１１２７、患者情報・手術情報画像１１２９が表示される。三次元画像１１１４は、周知のように、任意に回転表示させることが可能なだけでなく、周辺組織の消去（又は透明化）をすることで見やすくすることができる。また、患者情報ボタン１１０３を押下することで、治療前後の患者情報を表示することができる。
【００６４】
一方、手術情報ボタン１１０４を押下することで、過去の治療回数、時間、割合、残治療回数予定等のログ情報を表示させることができる。ＭＲＩ造影前画像１１２１は照射領域１１２２が高信号で描出され、ＭＲＩ造影後画像１１２３から治療領域１０１２とＨＩＦＵによる照射位置１０１５がそれぞれ描出される。
【００６５】
また、差分（残治療領域描出）ボタン１１０５を押下することで、治療領域１０１２と照射位置１０１５の差分領域１１２８が算出され、差分画像１１２７が表示される。術者は差分画像１１２７と手術情報画像１１２９から再治療を行うかどうか判断し、必要と判断した場合には再治療計画ボタン１１０６を押下する。そのときには、Axial断面画像１１１１、Sagittal断面画像１１１２、Coronal断面画像１１１３、三次元画像１１１４上に、差分領域１１２８が治療領域１０１２の代わりに追加治療領域として表示され、追加治療のための治療超音波プローブ１３ｂの位置と向き及び照射経路が自動的に計算されＧＵＩ画面１０００のナビゲーション画像１０００ｂ上に描出される。この場合も、治療超音波パワーに応じて図１３に示した照射経路を示す誘導画像情報１０３８の補正が行われ、結果がナビゲーション画像１０００ｂ上に表示される。そして、問題がなければ追加治療１１０７の開始となる。仮に、残治療領域が存在しても様々な条件を考慮して追加治療を実施しない場合には、終了ボタン１１０８を押下して治療終了とする。
【符号の説明】
【００６６】
１…超音波装置、２…ＭＲＩ装置、３、３ａ、３ｂ…術者モニタ、４…位置検出システム、１１…超音波装置本体、１２…超音波モニタ、１３…超音波プローブ、１３ａ…超音波探触子、１３ｂ…治療超音波プローブ、１４…ポインタ、１５…超音波送受信部、１６…超音波画像構成部、１７…超音波制御部、１８…コントロールパネル、１１０…ＨＩＦＵコントローラ、２５…コンピュータ、４２…基準ツール、２６…ＭＲ制御部、２７…映像記録装置、５０…患者
【図１】
0005779027.tif 000002
【図２】
0005779027.tif 000003
【図３】
0005779027.tif 000004
【図４】
0005779027.tif 000005
【図５】
0005779027.tif 000006
【図６】
0005779027.tif 000007
【図７】
0005779027.tif 000008
【図８】
0005779027.tif 000009
【図９】
0005779027.tif 000010
【図１０】
0005779027.tif 000011
【図１１】
0005779027.tif 000012
【図１２】
0005779027.tif 000013
【図１３】
0005779027.tif 000014
【図１４】
0005779027.tif 000015